(57)【要約】【課題】シール部材のばらつきのない安定した形状を得ることができ、しかも、シール部材の取り付けによってもチップ内のインキが変色するおそれがなく、また、シール部材がチップ先端に適正な保持力で保持されるボールペンを提供する。【解決手段】軸筒２内に前後方向に移動可能にレフィル３を収容する。レフィル３先端の筆記用のチップ３１を軸筒２の先端孔２１より出没可能に構成する。チップ３１先端に弾性材料からなるシール部材４を嵌着する。シール部材４によってチップ３１先端を密封する。【選択図】  図１
2011088336.tif 000002
【特許請求の範囲】
【請求項１】
軸筒内に前後方向に移動可能にレフィルを収容し、前記レフィル先端の筆記用のチップを軸筒の先端孔より出没可能に構成したボールペンであって、
前記チップ先端に弾性材料からなるシール部材を嵌着し、前記シール部材によってチップ先端を密封してなることを特徴とするボールペン。
【請求項２】
前記シール部材の外径が先端孔の内径より小さく形成される請求項１記載のボールペン。
【請求項３】
前記シール部材が、チップ先端の外周面と嵌合する保持孔と、該保持孔の底部に形成され、チップ先端が密接されるシール壁部とを備えた請求項１または２記載のボールペン。
【請求項４】
前記シール部材の両端に、チップの外周面と嵌合する保持孔を設け、前記二つの保持孔の間に、チップ先端が密接される隔壁状のシール壁部を設けた請求項１、２または３記載のボールペン。
【発明の詳細な説明】
【技術分野】
【０００１】
本発明は、ボールペンに関する。詳細には、軸筒内に前後方向に移動可能にレフィルを収容し、前記レフィル先端の筆記用のチップを軸筒の先端孔より出没可能に構成したボールペンに関する。
【背景技術】
【０００２】
従来、例えば、特許文献１には、軸筒の先端孔からレフィルの筆記チップが出没可能なボールペンにおいて、筆記チップの先端からの空気の混入やチップの先端からのインキの蒸発を防止する目的で、筆記チップの筆記ボール周辺にホットメルト（被覆樹脂）が取り付けられるものが開示されている。
【先行技術文献】
【特許文献】
【０００３】
【特許文献１】特開２００３−２４６１８３号公報
【発明の概要】
【発明が解決しようとする課題】
【０００４】
前記従来のボールペンは、被覆樹脂を加熱溶融し、チップ先端に付着・固化させるものであり、被覆樹脂の形状のばらつきが生じ易く、被覆樹脂の安定した形状を得ることが困難である。そのため、先端孔からのチップ出没時に被覆樹脂が軸筒の先端孔内面に接触するおそれがある。
【０００５】
また、前記従来のボールペンは、加熱溶融した被覆樹脂をチップ先端に付着した際、被覆樹脂の熱がチップ内に伝わり、チップ内のインキが変色するおそれがある。特に、前記インキの変色は、チップがパイプ式ボールペンチップ（ニードル型ボールペンチップ）の場合に生じ易い。
【０００６】
また、前記従来のボールペンは、被覆樹脂がチップに強固に固着されていると、ユーザーが使用開始時に被覆樹脂を除去することが困難となり、一方、被覆樹脂がチップに弱い力で取り付けられていると、ユーザーが使用開始する前に、被複樹脂がチップから容易に脱落してしまう。
【０００７】
本発明は、前記従来の問題点を解決するものであり、シール部材のばらつきのない安定した形状を得ることができ、しかも、シール部材の取り付けによってもチップ内のインキが変色するおそれがなく、また、シール部材がチップ先端に適正な保持力で保持されるボールペンを提供しようとするものである。尚、本発明で、「前」とは、チップ先端側を指し、「後」とは、その反対側を指す。また、本発明で、「チップ没入状態」とは、チップが軸筒内に没入した状態をいい、「チップ突出状態」とは、チップが軸筒の先端孔より突出した状態をいう。
【課題を解決するための手段】
【０００８】
＜１＞本願の第１の発明は、軸筒２内に前後方向に移動可能にレフィル３を収容し、前記レフィル３先端の筆記用のチップ３１を軸筒２の先端孔２１より出没可能に構成したボールペンであって、前記チップ３１先端に弾性材料からなるシール部材４を嵌着し、前記シール部材４によってチップ３１先端を密封してなることを要件とする。
【０００９】
前記第１の発明のボールペン１は、チップ３１先端に弾性材料からなるシール部材４を嵌着し、前記シール部材４によってチップ３１先端を密封してなることにより、シール部材４のばらつきのない安定した形状を得ることができ、その結果、先端孔２１からのチップ出没時にシール部材４が軸筒２の先端孔２１内面に接触することを回避でき、その結果、チップ３１先端からのシール部材４の脱落を回避できる。また、前記第１の発明のボールペン１は、チップ３１先端に従来の加熱溶融された樹脂を付着するものとは異なり、弾性材料からなるシール部材４をチップ３１先端に嵌着するため、チップ３１内のインキが変色するおそれがない。しかも、前記第１の発明のボールペン１は、チップ３１先端に弾性材料からなるシール部材４を嵌着したことにより、シール部材４がチップ３１先端に適正な保持力で保持されるため、ユーザーの使用開始時にシール部材４を容易に除去できるとともに、ユーザーが使用開始前にシール部材４がチップ３１から脱落することがない。
【００１０】
＜２＞本願の第２の発明は、前記第１の発明のボールペン１において、前記シール部材４の外径が先端孔２１の内径より小さく形成されることを要件とする。
【００１１】
前記第２の発明のボールペン１は、シール部材４の外径が先端孔２１の内径より小さく形成されることにより、先端孔２１からのチップ出没時にシール部材４が軸筒２の先端孔２１内面に接触することを確実に回避できる。その結果、チップ３１の出没によるシール部材４の脱落を回避できる。
【００１２】
＜３＞本願の第３の発明は、前記第１または第２の発明のボールペン１において、前記シール部材４が、チップ３１先端の外周面と嵌合する保持孔４１と、該保持孔４１の底部に形成され、チップ３１先端が密接されるシール壁部４２とを備えたことを要件とする。
【００１３】
前記第３の発明のボールペン１は、シール壁部４２によってチップ３１先端を確実に密封でき、保持孔４１内面によってチップ３１先端の外周面を適正な保持力で保持できる。
【００１４】
＜４＞本願の第４の発明は、前記第１、第２または第３の発明のボールペン１において、前記シール部材４の両端に、チップ３１の外周面と嵌合する保持孔４１を設け、前記二つの保持孔４１の間に、チップ３１先端が密接される隔壁状のシール壁部４２を設けたことを要件とする。
【００１５】
前記第４の発明のボールペン１は、前記シール部材４の両端（前後方向の両端）に、チップ３１の外周面と嵌合する保持孔４１を設け、前記二つの保持孔４１の間に、チップ３１先端が密接される隔壁状のシール壁部４２を設けたことにより、チップ３１の先端にシール部材４を嵌着する際、シール部材４の保持孔４１を確認し、シール部材４の向きを揃える手間が不要となり、シール部材４の組み付け作業が容易となる。
【発明の効果】
【００１６】
本発明のボールペンは、シール部材のばらつきのない安定した形状を得ることができ、しかも、シール部材の取り付けによってもチップ内のインキが変色するおそれがなく、また、シール部材がチップ先端に適正な保持力で保持される。
【図面の簡単な説明】
【００１７】
【図１】本発明のボールペンの実施の形態のチップ没入状態を示す要部縦断面図である。
【図２】本発明のボールペンの実施の形態のチップ突出状態を示す要部縦断面図である。
【図３】図１のレフィルの縦断面図である。
【図４】図１のシール部材の拡大縦断面図である。
【発明を実施するための形態】
【００１８】
本発明の実施の形態を図１及び図４に示す。
本実施の形態のボールペン１は、軸筒２と、軸筒２内に前後方向に移動可能に収容されたレフィル３とからなる。前記レフィル３の先端には、筆記用のチップ３１（ボールペンチップ）が設けられ、前記チップ３１の先端にシール部材４が取り付けられる。
【００１９】
・軸筒
前記軸筒２は、合成樹脂（例えば、ポリカーボネイト樹脂）の射出成形によって得られる。前記軸筒２の先端部は、先細状に形成される。前記先細状の先端部の先端（即ち軸筒２の先端）には先端孔２１が前後方向に貫設される。前記先端孔２１を通して、軸筒２内に収容したレフィル３のチップ３１が出没可能（即ち軸筒２の外部に突出可能且つ軸筒２内に没入可能）となる。前記軸筒２の後部外面には、ポケット等に挟持可能なクリップ２２が突設される。また、前記軸筒２内には、レフィル３を常時後方に付勢する弾発体５（具体的には圧縮コイルスプリング）が収容される。前記軸筒２は、前軸と該前軸の後端に着脱自在に螺着される後軸とからなるため、前記軸筒２内から前記レフィル３を取り出して交換することが可能である。
【００２０】
・出没機構
前記軸筒２には、チップ３１を出没させる出没機構が内蔵されている（図示せず）。本実施の形態では、前記出没機構として、いわゆる後端ノック式が採用される。前記出没機構は、前記軸筒２の後端より後方に突出された操作部２３を、前方に押圧することによって、レフィル３を後方付勢に抗して前方に移動させ、チップ没入状態からチップ突出状態にするものである。さらに、本実施の形態では、再度、操作部２３を前方に押圧することにより、チップ突出状態からチップ没入状態にすることができる。
【００２１】
・レフィル
前記レフィル３は、筆記用のチップ３１（ボールペンチップ）と、前記チップ３１を先端に備え且つ内部にインキ３２ａ（例えば熱変色性インキ）を収容するインキ収容管３２とからなる。前記チップ３１より前記インキ３２ａが吐出される。
【００２２】
前記チップ３１は、直円筒状の金属製細管の先端近傍を内方への押圧変形により形成したボール受け座用の複数の内方突出部と、前記金属製細管の先端縁を内方への押圧変形により形成した内向きのカシメ部と、前記内方突出部と前記カシメ部とにより回転可能に抱持される筆記用のボールとからなる。即ち、チップ３１は、直円筒状のニードル型のボールペンチップである。尚、本発明において、前記チップ３１は、切削加工によりボール受け座及びインキ流通孔を形成するタイプの直円筒状のニードル型のボールペンチップであってもよい。
【００２３】
前記チップ３１の内部には、先端のボールを前方に押圧する弾発体３４が収容される。前記弾発体３４は、圧縮コイルスプリングの先端部にロッド部を備えた構成であり、前記ロッド部の先端がボール後面に接触している。シール部材４を除去した非筆記時、前記弾発体３４の前方付勢によりボールがチップ３１先端の内向きのカシメ部内面に密接され、チップ３１の先端からのインキの漏出及びインキの蒸発を防止できる。
【００２４】
前記インキ収容管３２の先端には、チップ３１を保持するチップホルダー３３が固着される。前記インキ収容管３２内には、熱変色性のインキ３２ａと、該インキ３２ａの後端に配置される追従体３２ｂとが収容される。
【００２５】
前記熱変色性のインキ３２ａは、加熱により消色し、冷却により発色する可逆熱変色性インキが採用される。前記追従体３２ｂは、インキ３２ａの消費に伴い前進し且つインキ３２ａの後退（即ち逆流）を防止するものであり、例えば、高粘度流体、弾性材料よりなる可動栓、または高粘度流体中に固体物を収容させた構成等が挙げられる。
【００２６】
・シール部材
前記シール部材４は、弾性材料から形成される。前記シール部材４を構成する弾性材料は、例えば、シリコンゴム、エチレン−プロピレンゴム、ブチルゴム等の合成ゴムやエラストマーが挙げられる。
【００２７】
前記シール部材４は、円筒状に形成される。前記シール部材４は、両端より開口する有底の保持孔４１と、前記二つの保持孔４１の間に配置される隔壁状のシール壁部４２とからなる。即ち、前記シール壁部４２が前記各々の保持孔４１の底壁を兼ねる。
【００２８】
前記保持孔４１にチップ３１先端外周面（即ちチップ３１先端の直円筒状外周面）が嵌合される。詳細には、前記保持孔４１の内周面には突起４１ａ（環状突起）が形成され、前記突起４１ａがチップ３１先端外周面と嵌合（気密嵌合）される。前記突起４１ａとチップ３１先端外周面との嵌合により、シール部材４とチップ３１先端との適正な保持力が確実に得られる。それにより、ユーザーの使用開始前にシール部材４がチップ３１先端から容易に脱落せず、しかも、ユーザーの使用開始時にシール部材４をチップ３１先端から容易に除去することが可能となる。前記突起４１ａは、環状突起の他にも、例えば、周状に分散配置される複数の突起であってもよい。
【００２９】
本実施の形態では、チップ３先端の直円筒状外周面に、シール部材４の内周面が嵌合する。そのため、シール部材４とチップ先端との長期にわたり安定した取付状態が可能となり、シール部材４がチップ先端から脱落するおそれがない。仮に、シール部材４がチップ３先端のテーパ状外周面に嵌合する場合、シール部材４が経時により脱落するおそれがある。
【００３０】
前記シール壁部４２には、チップ３１先端のボール及びカシメ部が密接し、埋没される。それにより、ユーザーが筆記使用開始する前まで、チップ３１先端からの空気混入やインキ漏出を防止できる。
【００３１】
前記シール部材４の外径は、軸筒２の先端孔２１の内径より小さく形成される。それにより、先端孔２１からのチップ３１の出没時に、シール部材４が、先端孔２１に内面に接触して、シール部材４がチップ３１先端から脱落することを回避できる。
【００３２】
前記のシール部材４は、両側に保持孔４１とシール壁部４２とを備えた前後対称な形状を有する。それにより、チップ３１の先端にシール部材４を嵌着する際、シール部材４の保持孔４１を確認し、シール部材４の向きを揃える手間が不要となり、シール部材４の容易な組み付けが可能となる。
【符号の説明】
【００３３】
１  ボールペン
２  軸筒
２１  先端孔
２２  クリップ
２３  操作部
３  レフィル
３１  チップ
３２  インキ収容管
３２ａ  インキ
３２ｂ  追従体
３３  チップホルダー
３４  弾発体
４  シール部材
４１  保持孔
４１ａ  突起
４２  シール壁部
５  弾発体
【図１】
2011088336.tif 000003
【図２】
2011088336.tif 000004
【図３】
2011088336.tif 000005
【図４】
2011088336.tif 000006